(57)【要約】【課題】端子の誤挿入を防止することができ、ハウジングを小型化しつつ、ハウジングの強度を向上することができるコネクタを提供する。【解決手段】端子収容室３が設けられたハウジング５と、端子９と、係止ランス１３と、ハウジング５の嵌合時及び嵌合離脱時に操作される指当て部１５とを備えたコネクタ１において、ハウジング５の外周壁１１に、薄肉部１７を設け、薄肉部１７の外面に、薄肉部１７の外面からハウジング５の外方に向けて立設され指当て部１５から係止ランス１３側に向けて延設された補強リブ１９を配置し、薄肉部１７の内面に、薄肉部１７の内面からハウジング５の内方に向けて立設され係止ランス１３から挿入開口７側に向けて延設され端子９の正規挿入状態で端子収容室３への端子９の挿入を許容し端子９の非正規挿入状態で端子収容室３への端子９の挿入を防止する誤挿入防止リブ２１を配置した。【選択図】図２
2018206512.tif 000002
【特許請求の範囲】
【請求項１】
端子収容室が設けられたハウジングと、
前記ハウジングの一側の挿入開口から前記端子収容室に収容される端子と、
前記ハウジングの外周壁の内面から前記端子収容室内に撓み可能に設けられ前記端子を係止する係止ランスと、
前記挿入開口側に配置され前記ハウジングの外周壁の外面から前記ハウジングの外方に向けて立設され前記ハウジングの嵌合時及び嵌合離脱時に操作される指当て部と、
前記係止ランスが位置する前記ハウジングの外周壁に設けられ前記ハウジングの他の外周壁より薄肉に形成された薄肉部と、
前記薄肉部の外面に配置され前記薄肉部の外面から前記ハウジングの外方に向けて立設され前記指当て部から前記係止ランス側に向けて延設された補強リブと、
前記薄肉部の内面に配置され前記薄肉部の内面から前記ハウジングの内方に向けて立設され前記係止ランスから前記挿入開口側に向けて延設され前記端子の正規挿入状態で前記端子収容室への前記端子の挿入を許容し前記端子の非正規挿入状態で前記端子収容室への前記端子の挿入を防止する誤挿入防止リブと、
を有することを特徴とするコネクタ。
【請求項２】
請求項１記載のコネクタであって、
前記補強リブと前記誤挿入防止リブとは、前記薄肉部を挟んで重なり合って配置されていることを特徴とするコネクタ。
【発明の詳細な説明】
【技術分野】
【０００１】
本発明は、コネクタに関する。
【背景技術】
【０００２】
従来、コネクタとしては、端子収容室が設けられたハウジングと、ハウジングの一側の挿入開口から端子収容室に収容される端子と、ハウジングの外周壁の内面から端子収容室内に撓み可能に設けられ端子を係止する係止ランスと、挿入開口側に配置されハウジングの外周壁の外面からハウジングの外方に向けて立設されハウジングの嵌合時及び嵌合離脱時に操作される指当て部とを備えたものが知られている（例えば、特許文献１参照）。
【０００３】
このコネクタでは、ハウジングの嵌合時及び嵌合離脱時における指当て部の破損を防止するために、ハウジングの外周壁の外面に、薄肉部の外面からハウジングの外方に向けて立設され指当て部から係止ランス側に向けて延設された補強リブを配置している。
【先行技術文献】
【特許文献】
【０００４】
【特許文献１】特開２００３−７３８７号公報
【発明の概要】
【発明が解決しようとする課題】
【０００５】
ところで、上記特許文献１のようなコネクタでは、ハウジングに、端子収容室への端子の誤挿入を防止する構造がなく、端子収容室内に端子が誤った姿勢で挿入されてしまう恐れがあった。
【０００６】
一方、上記特許文献１のようなコネクタでは、ハウジングの外周壁を薄く形成させ、ハウジングの小型化を図ることがある。
【０００７】
このようにハウジングの外周壁を薄く形成させたコネクタでは、指当て部の破損を防止する補強リブがハウジングの外周壁に設けられているが、この補強リブだけではハウジングの強度を保持することができない恐れがあった。
【０００８】
そこで、この発明は、端子の誤挿入を防止することができ、ハウジングを小型化しつつ、ハウジングの強度を向上することができるコネクタの提供を目的としている。
【課題を解決するための手段】
【０００９】
請求項１記載の発明は、端子収容室が設けられたハウジングと、前記ハウジングの一側の挿入開口から前記端子収容室に収容される端子と、前記ハウジングの外周壁の内面から前記端子収容室内に撓み可能に設けられ前記端子を係止する係止ランスと、前記挿入開口側に配置され前記ハウジングの外周壁の外面から前記ハウジングの外方に向けて立設され前記ハウジングの嵌合時及び嵌合離脱時に操作される指当て部と、前記係止ランスが位置する前記ハウジングの外周壁に設けられ前記ハウジングの他の外周壁より薄肉に形成された薄肉部と、前記薄肉部の外面に配置され前記薄肉部の外面から前記ハウジングの外方に向けて立設され前記指当て部から前記係止ランス側に向けて延設された補強リブと、前記薄肉部の内面に配置され前記薄肉部の内面から前記ハウジングの内方に向けて立設され前記係止ランスから前記挿入開口側に向けて延設され前記端子の正規挿入状態で前記端子収容室への前記端子の挿入を許容し前記端子の非正規挿入状態で前記端子収容室への前記端子の挿入を防止する誤挿入防止リブとを有することを特徴とするコネクタである。
【００１０】
このコネクタでは、係止ランスが位置するハウジングの外周壁に、ハウジングの他の外周壁より薄肉に形成された薄肉部が設けられているので、ハウジングを小型化することができる。
【００１１】
また、薄肉部の外面には、薄肉部の外面からハウジングの外方に向けて立設され指当て部から係止ランス側に向けて延設された補強リブが配置されているので、ハウジングの嵌合時及び嵌合離脱時に操作される指当て部の強度を向上することができ、指当て部の破損を防止することができる。
【００１２】
加えて、補強リブは、薄肉部の外面に、指当て部から係止ランス側に向けて延設されているので、補強リブによって薄肉部の強度を向上することができる。
【００１３】
さらに、薄肉部の内面には、端子の正規挿入状態で端子収容室への端子の挿入を許容し端子の非正規挿入状態で端子収容室への端子の挿入を防止する誤挿入防止リブが配置されているので、端子収容室への端子の誤挿入を防止することができる。
【００１４】
加えて、誤挿入防止リブは、薄肉部の内面からハウジングの内方に向けて立設され係止ランスから挿入開口側に向けて延設されているので、誤挿入防止リブによって薄肉部の強度を向上することができる。
【００１５】
従って、このようなコネクタでは、薄肉部の外面に補強リブが設けられ、薄肉部の内面に誤挿入防止リブが設けられているので、端子の誤挿入を防止することができ、ハウジングを小型化しつつ、ハウジングの強度を向上することができる。
【００１６】
請求項２記載の発明は、請求項１記載のコネクタであって、前記補強リブと前記誤挿入防止リブとは、前記薄肉部を挟んで重なり合って配置されていることを特徴とする。
【００１７】
このコネクタでは、補強リブと誤挿入防止リブとが、薄肉部を挟んで重なり合って配置されているので、薄肉部の強度をさらに向上することができる。
【発明の効果】
【００１８】
本発明によれば、端子の誤挿入を防止することができ、ハウジングを小型化しつつ、ハウジングの強度を向上することができるコネクタを提供することができるという効果を奏する。
【図面の簡単な説明】
【００１９】
【図１】本発明の第１実施形態に係るコネクタの分解斜視図である。
【図２】本発明の第１実施形態に係るコネクタの断面図である。
【図３】本発明の第１実施形態に係るコネクタのハウジングの正面図である。
【図４】本発明の第１実施形態に係るコネクタのハウジングの側面図である。
【図５】本発明の第１実施形態に係るコネクタのハウジングの下面図である。
【図６】本発明の第１実施形態に係るコネクタのハウジングの断面図である。
【図７】本発明の第１実施形態に係るコネクタの端子の斜視図である。
【図８】本発明の第１実施形態に係るコネクタのハウジングに端子を非正規挿入状態で挿入したときの断面図である。
【図９】本発明の第２実施形態に係るコネクタのハウジングの断面図である。
【発明を実施するための形態】
【００２０】
図１〜図９を用いて本発明の実施の形態に係るコネクタについて説明する。
【００２１】
（第１実施形態）
図１〜図８を用いて第１実施形態について説明する。
【００２２】
本実施の形態に係るコネクタ１は、端子収容室３が設けられたハウジング５と、ハウジング５の一側の挿入開口７から端子収容室３に収容される端子９と、ハウジング５の外周壁１１の内面から端子収容室３内に撓み可能に設けられ端子９を係止する係止ランス１３と、挿入開口７側に配置されハウジング５の外周壁１１の外面からハウジング５の外方に向けて立設されハウジング５の嵌合時及び嵌合離脱時に操作される指当て部１５とを備えている。
【００２３】
また、係止ランス１３が位置するハウジング５の外周壁１１には、ハウジング５の他の外周壁より薄肉に形成された薄肉部１７が設けられている。
【００２４】
さらに、薄肉部１７の外面には、薄肉部１７の外面からハウジング５の外方に向けて立設され指当て部１５から係止ランス１３側に向けて延設された補強リブ１９が配置されている。
【００２５】
そして、薄肉部１７の内面には、薄肉部１７の内面からハウジング５の内方に向けて立設され係止ランス１３から挿入開口７側に向けて延設され端子９の正規挿入状態で端子収容室３への端子９の挿入を許容し端子９の非正規挿入状態で端子収容室３への端子９の挿入を防止する誤挿入防止リブ２１が配置されている。
【００２６】
図１〜図８に示すように、ハウジング５は、合成樹脂などの絶縁性材料からなり、相手ハウジング（不図示）と嵌合可能となっている。
【００２７】
このハウジング５には、相手ハウジングとの嵌合状態を保持するロック部２３を有するロックアーム２５が撓み可能に設けられ、ロック部２３が相手ハウジングに設けられた被ロック部（不図示）と係合することにより、相手ハウジングとハウジング５との嵌合状態が保持される。
【００２８】
なお、ロックアーム２５の自由端側には、操作部２７が設けられ、操作部２７を押圧することにより、ロックアーム２５が撓まされ、ロック部２３と被ロック部との係合を解除し、相手ハウジングとハウジング５との嵌合状態を解除することができる。
【００２９】
このようなハウジング５には、複数の端子収容室３が設けられ、相手ハウジングと嵌合することにより、相手ハウジングに収容された複数の相手端子（不図示）と複数の端子収容室３に収容された複数の端子９とが電気的に接続される。
【００３０】
端子収容室３は、ハウジング５の内部にハウジング５の長さ方向に沿って形成され、ハウジング５の幅方向に複数（ここでは３つ）が並列に配置されている。
【００３１】
この端子収容室３は、長さ方向の一端側が端子９を内部に挿入させる挿入開口７となっており、長さ方向の他端側が内部に収容された端子９に接続される相手端子の雄型のタブ状の接続部（不図示）が挿入される接続開口２９となっている。
【００３２】
このような複数の端子収容室３には、長さ方向の一端側の挿入開口７からそれぞれ複数の端子９が収容される。
【００３３】
端子９は、導電性材料からなる１枚の板材に対して、打ち抜き加工や折り曲げ加工などを施すことによって、電線接続部３１と、端子接続部３３とが連続する一部材で形成されている。
【００３４】
電線接続部３１は、被覆圧着部３５と、芯線圧着部３７とを備えている。
【００３５】
被覆圧着部３５は、一対の加締め片からなり、電源や機器などに接続された電線３９の端末部において、電線３９の被覆部を加締める。
【００３６】
この被覆圧着部３５を電線３９の被覆部に加締めることにより、端子９が電線３９に固定される。
【００３７】
芯線圧着部３７は、端子接続部３３と被覆圧着部３５との間に設けられた一対の圧着片からなり、電線３９の端末部において、電線３９の被覆部から露出された芯線部を加締めて圧着される。
【００３８】
この芯線圧着部３７を電線３９の芯線部に圧着させることにより、端子９が電線３９に電気的に接続される。
【００３９】
端子接続部３３は、底壁が電線接続部３１と連続する一部材で形成され、両側壁と上壁とを折り曲げ加工によって箱状に形成された雌型の接続部からなる。
【００４０】
この端子接続部３３の内部には、端子接続部３３と連続する一部材で自由端側に接点部（不図示）を有する弾性片（不図示）が、所定の付勢力を有するように弾性変形可能に設けられている。
【００４１】
このような端子接続部３３には、長さ方向の一端側に開口が設けられ、この開口から内部に相手端子のタブ状の接続部が挿入され、弾性片の付勢力によって接点部がタブ状の接続部と接触することにより、端子９と相手端子とが電気的に接続される。
【００４２】
このような箱状の端子接続部３３を有する端子９は、電線３９の端末部に電線接続部３１を介して接続された状態で、端子収容室３の挿入開口７から端子収容室３内に挿入され、挿入開口７から電線３９がハウジング５の外部に引き出される。
【００４３】
このように端子収容室３に収容された端子９は、端子収容室３内に設けられた係止ランス１３に係止されることにより、端子収容室３の挿入開口７からの抜け止めがなされる。
【００４４】
なお、端子９の端子収容室３への挿入は、端子９の端子接続部３３の端面が端子収容室３の接続開口２９が設けられた壁部と当接することにより、端子収容室３への端子９のそれ以上の挿入が規制される。
【００４５】
係止ランス１３は、基端側が端子収容室３の底壁である外周壁１１の内面と連続する一部材で形成され、自由端側が端子収容室３の内部に向けて傾斜し接続開口２９側に配置され、端子収容室３内の上下方向に撓み可能に設けられている。
【００４６】
この係止ランス１３の自由端側には、係止部４１が係止ランス１３と連続する一部材で端子収容室３の内部に向けて突設されている。
【００４７】
この係止部４１は、端子収容室３の挿入開口７から端子９が挿入されると、端子接続部３３と摺動し、係止ランス１３を下方（外周壁１１側）に向けて撓ませる。
【００４８】
この撓まされた係止ランス１３は、端子接続部３３が端子収容室３の正規位置に配置されると、上方（端子収容室３の内部側）に向けて復元し、係止部４１が端子接続部３３の穴部４３に挿入され、係止部４１が係止突起４５に係合可能に配置される。
【００４９】
なお、係止部４１の突出方向の基端側には、接続開口２９側に向けて係止ランス１３と連続する一部材で解除壁４７が延設され、この解除壁４７に解除治具（不図示）を当接させ、係止ランス１３を撓ませることにより、端子９を端子収容室３の挿入開口７から引き出すことができる。
【００５０】
穴部４３は、係止ランス１３と対向する端子接続部３３の上壁に設けられ、上壁を貫通する長方形状の孔部となっており、係止ランス１３が復元したときに、係止部４１が挿入可能となっている。
【００５１】
係止突起４５は、穴部４３の長さ方向一端側の縁部に配置され、端子接続部３３の上壁から係止ランス１３側に向けて突設されている。
【００５２】
この係止突起４５は、係止ランス１３が復元し、係止部４１が穴部４３に挿入された状態で、係止部４１と端子収容室３からの端子９の離脱方向に係合可能に配置される。
【００５３】
このように係止突起４５を係止部４１と係合可能に配置させることにより、電線３９に引張力が加わったときに、係止突起４５と係止部４１とが係合し、端子収容室３からの端子９の抜け止めを行うことができる。
【００５４】
このような端子９を係止する係止ランス１３が設けられたハウジング５の外周壁１１には、ハウジング５の嵌合時及び嵌合離脱時に操作される指当て部１５が設けられている。
【００５５】
指当て部１５は、ハウジング５の外周壁１１の挿入開口７側に配置され、ハウジング５の外周壁１１の外面から連続する一部材でハウジング５の幅方向にわたってハウジング５の外方に向けて立設されている。
【００５６】
この指当て部１５は、ハウジング５が相手ハウジングと嵌合するとき、作業者の指が当接され、挿入開口７側から接続開口２９側に向けて押圧されることにより、ハウジング５と相手ハウジングとが嵌合される。
【００５７】
一方、指当て部１５は、ハウジング５と相手ハウジングとの嵌合を解除するとき、作業者の指が当接され、接続開口２９側から挿入開口７側に向けて押圧されることにより、ハウジング５と相手ハウジングとの嵌合が解除される。
【００５８】
このような指当て部１５が設けられたハウジング５の外周壁１１には、薄肉部１７が設けられている。
【００５９】
薄肉部１７は、ハウジング５の外周壁のうち係止ランス１３が位置する外周壁１１に設けられ、他の外周壁より薄肉に形成されている。
【００６０】
このようにハウジング５の外周壁１１に薄肉部１７を設けることにより、ハウジング５の高さ方向の小型化を図ることができる。
【００６１】
しかしながら、指当て部１５が設けられた外周壁１１に薄肉部１７を設けてしまうと、指当て部１５の強度が低下し、ハウジング５の嵌合時及び嵌合離脱時の操作により、指当て部１５に破損が生じる恐れがあった。
【００６２】
そこで、ハウジング５の外周壁１１には、補強リブ１９が設けられている。
【００６３】
補強リブ１９は、ハウジング５の外周壁１１に複数（ここでは３つ）配置され、薄肉部１７の外面から連続する一部材でハウジング５の外方に向けて立設され指当て部１５から係止ランス１３側に向けて延設されている。
【００６４】
このように補強リブ１９を設けることにより、指当て部１５の強度が向上され、ハウジング５の嵌合時及び嵌合離脱時の操作による指当て部１５の破損を防止することができる。
【００６５】
加えて、補強リブ１９は、薄肉部１７の外面から連続する一部材でハウジング５の外方に向けて立設され指当て部１５から係止ランス１３側に向けて延設されているので、薄肉部１７の強度を向上することができ、ハウジング５を小型化しつつ、ハウジング５の強度を向上することができる。
【００６６】
さらには、補強リブ１９を設けることにより、ハウジング５の成形時の樹脂の流動性が向上され、ハウジング５の生産性を向上することができる。
【００６７】
ここで、端子収容室３に収容される端子９には、係止ランス１３の係止部４１に係合可能な係止突起４５が設けられている。
【００６８】
この係止突起４５は、端子９が挿入開口７に挿入されるときに、係止突起４５が係止ランス１３側に向いた姿勢である端子９の正規挿入状態であれば、係止突起４５と係止部４１とを係合させることができ、端子収容室３に端子９を係止することができる。
【００６９】
しかしながら、端子９が挿入開口７に挿入されるときに、係止突起４５が係止ランス１３側に向いていない姿勢である端子９の非正規挿入状態であれば、係止突起４５と係止部４１とを係合させることができず、端子収容室３に端子９を係止することができない。
【００７０】
そこで、端子収容室３内には、端子９の誤挿入を防止する誤挿入防止リブ２１が設けられている。
【００７１】
誤挿入防止リブ２１は、係止ランス１３の幅方向両側に配置され、薄肉部１７の内面から連続する一部材でハウジング５の内方に向けて立設され係止ランス１３から挿入開口７側に向けて延設されている。
【００７２】
この係止ランス１３の両側に設けられた誤挿入防止リブ２１，２１間には、挿入開口７から端子接続部３３が挿入されたときに、係止突起４５と係合し、係止突起４５を係止部４１に案内する溝部４９が設けられている。
【００７３】
このような誤挿入防止リブ２１は、挿入開口７から端子９が正規挿入状態で挿入されたとき、溝部４９が係止突起４５と係合して端子収容室３への端子９の挿入を許容し、係止突起４５と係止部４１とを係合させることができる（図２参照）。
【００７４】
一方、誤挿入防止リブ２１は、挿入開口７から端子９が非正規挿入状態で挿入されたとき、端子接続部３３と当接して端子収容室３への端子９の挿入を防止し、端子９が非正規挿入状態であることを検知することができる（図８参照）。
【００７５】
このように誤挿入防止リブ２１を設けることにより、端子収容室３への端子９の誤挿入を防止することができ、端子収容室３内に端子９を安定して保持することができる。
【００７６】
加えて、誤挿入防止リブ２１は、薄肉部１７の内面から連続する一部材でハウジング５の内方に向けて立設され係止ランス１３から挿入開口７側に向けて延設されているので、補強リブ１９に加えて、薄肉部１７の強度をさらに向上することができ、ハウジング５を小型化しつつ、ハウジング５の強度をさらに向上することができる。
【００７７】
さらには、補強リブ１９に加えて、誤挿入防止リブ２１を設けることにより、ハウジング５の成形時の樹脂の流動性がさらに向上され、ハウジング５の生産性をさらに向上することができる。
【００７８】
このようなコネクタ１では、係止ランス１３が位置するハウジング５の外周壁１１に、ハウジング５の他の外周壁より薄肉に形成された薄肉部１７が設けられているので、ハウジング５を小型化することができる。
【００７９】
また、薄肉部１７の外面には、薄肉部１７の外面からハウジング５の外方に向けて立設され指当て部１５から係止ランス１３側に向けて延設された補強リブ１９が配置されているので、ハウジング５の嵌合時及び嵌合離脱時に操作される指当て部１５の強度を向上することができ、指当て部１５の破損を防止することができる。
【００８０】
加えて、補強リブ１９は、薄肉部１７の外面に、指当て部１５から係止ランス１３側に向けて延設されているので、補強リブ１９によって薄肉部１７の強度を向上することができる。
【００８１】
さらに、薄肉部１７の内面には、端子９の正規挿入状態で端子収容室３への端子９の挿入を許容し端子９の非正規挿入状態で端子収容室３への端子９の挿入を防止する誤挿入防止リブ２１が配置されているので、端子収容室３への端子９の誤挿入を防止することができる。
【００８２】
加えて、誤挿入防止リブ２１は、薄肉部１７の内面からハウジング５の内方に向けて立設され係止ランス１３から挿入開口７側に向けて延設されているので、誤挿入防止リブ２１によって薄肉部１７の強度を向上することができる。
【００８３】
従って、このようなコネクタ１では、薄肉部１７の外面に補強リブ１９が設けられ、薄肉部１７の内面に誤挿入防止リブ２１が設けられているので、端子９の誤挿入を防止することができ、ハウジング５を小型化しつつ、ハウジング５の強度を向上することができる。
【００８４】
（第２実施形態）
図９を用いて第２実施形態について説明する。
【００８５】
本実施の形態に係るコネクタ１０１は、補強リブ１９と誤挿入防止リブ２１とが、薄肉部１７を挟んで重なり合って配置されている。
【００８６】
なお、第１実施形態と同一の構成には、同一の記号を記して説明を省略するが、第１実施形態と同一の構成であるので、構成及び機能説明は第１実施形態を参照するものとし省略するが、得られる効果は同一である。
【００８７】
図９に示すように、補強リブ１９は、ハウジング５の高さ方向から見たときに、薄肉部１７を挟んで誤挿入防止リブ２１の挿入開口７側と重なり合うように、係止ランス１３側に向けて延設されている。
【００８８】
このように補強リブ１９と誤挿入防止リブ２１とを、薄肉部１７を挟んで重なり合わせて配置することにより、薄肉部１７の強度をさらに向上することができ、ハウジング５の強度をさらに向上することができる。
【００８９】
加えて、補強リブ１９を係止ランス１３側に向けて延設することにより、ハウジング５の成形時の樹脂の流動性がさらに向上され、ハウジング５の生産性をさらに向上することができる。
【００９０】
このようなコネクタ１０１では、補強リブ１９と誤挿入防止リブ２１とが、薄肉部１７を挟んで重なり合って配置されているので、薄肉部１７の強度をさらに向上することができる。
【００９１】
なお、本発明の実施の形態に係るコネクタでは、補強リブが係止ランス側に向けて延設されることにより、補強リブと誤挿入防止リブとが重なり合って配置されているが、これに限らず、誤挿入防止リブを挿入開口側に向けて延設させ、補強リブと誤挿入防止リブとを重なり合って配置してもよい。
【００９２】
この場合には、誤挿入防止リブが、指当て部側に配置されるので、指当て部の強度をさらに向上することができ、指当て部の破損をさらに防止することができる。
【符号の説明】
【００９３】
１，１０１…コネクタ
３…端子収容室
５…ハウジング
７…挿入開口
９…端子
１１…外周壁
１３…係止ランス
１５…指当て部
１７…薄肉部
１９…補強リブ
２１…誤挿入防止リブ
１０１…コネクタ
【図１】
2018206512.tif 000003
【図２】
2018206512.tif 000004
【図３】
2018206512.tif 000005
【図４】
2018206512.tif 000006
【図５】
2018206512.tif 000007
【図６】
2018206512.tif 000008
【図７】
2018206512.tif 000009
【図８】
2018206512.tif 000010
【図９】
2018206512.tif 000011